(57)【要約】      （修正有）【課題】スムーズに開閉可能で、より簡単な機構でありながら、引き違い扉でも閉鎖状態において扉をフラットにする。【解決手段】スライドレール２は、直線の規制壁Ｂとその両端に接続された曲線の２個の規制壁Ａを備え、スライド具３は、基端部１３がスライド具本体７に、他端部１４が扉取付け具に回動可能に固定された２個の回動板９、および上記回動板のうちの１つの回動板の基端部に、先端にローラ１１が軸支されている開閉規制具１０が接続され、その先端のローラは、上記規制壁ＡおよびＢによって移動が制限されている。扉１６を開放方向に移動させると、上記開閉規制具の先端のローラが上記規制壁Ａに沿って円周移動を行うことによって、上記開閉規制具が回動し、それに伴い上記回動板が回動し、上記開閉規制具の先端のローラが上記規制壁Ａによる移動の制限から解除され、上記規制壁Ｂによる直線移動へと移行し、スライド具が直線移動する。【選択図】図１
2007332577.tif 000002
【特許請求の範囲】
【請求項１】
引き違い扉を閉じた状態でフラットにすることのできるドアースライドレール機構であって、
スライドレールと、上記スライドレールに複数個のローラにより左右方向に移動可能に軸支された２個のスライド具からなり、
上記スライドレールは、内部の両側面に、上記ローラが移動可能な２個のガイド部を備え、内部の天井面に、直線の規制壁Ｂと規制壁Ｂの両端に接続された曲線の２個の規制壁Ａを備えており、
上記スライド具は、スライド具本体、扉取付け具、およびスライド具本体と扉取付け具を接続するリンク部材から構成され、上記リンク部材は、基端部が上記スライド具本体に、他端部が扉取付け具に回動可能に固定された２個の回動板、および上記回動板のうちの１つの回動板の基端部に、先端にローラが軸支されている開閉規制具が接続され、
上記開閉規制具は、上記回動板の回動とリンクして回動し、その先端のローラは、上記規制壁ＡおよびＢによって移動が制限されており、
扉を開放方向に移動させると、上記開閉規制具の先端のローラが上記規制壁Ａに沿って円周移動を行うことによって、上記開閉規制具が回動し、それに伴い上記回動板が回動し、上記開閉規制具の先端のローラが上記規制壁Ａによる移動の制限から解除され、上記規制壁Ｂによる直線移動へと移行することにより、スライド具の直線移動が可能となることを特徴とするドアースライドレール機構。
【請求項２】
上記スライドレールにはスライド具の直線運動を停止させるストッパーが設けられており、上記ストッパーによって扉閉鎖時のスライド具の直線移動が停止され、上記開閉規制具の先端のローラが上記規制壁Ｂに沿った直線移動から上記規制壁Ａに沿った曲線移動へと移行され、上記開閉規制具および回動板が回動されて扉取付け具が所定の扉閉鎖位置まで移動することを特徴とする請求項１に記載のドアースライドレール機構。
【請求項３】
上記開閉規制具とそれに接続されている上記リンク部材は、上記リンク部材の基端部で、同じ点を中心とした回転を行うように、スライド具本体の底面に軸支されていることを特徴とする請求項１または２に記載のドアースライドレール機構。
【請求項４】
上記扉取付け具は、略Ｌ字型の断面を有する２個の部材から構成され、一方の部材の底面に２個のリンク部材の先端部が回動可能に取付けられ、他方の部材の側面に扉を取付けるための穴が設けられており、２つの部材が互いに固定されていることを特徴とする請求項１から３のいずれか１項に記載のドアースライドレール機構。
【発明の詳細な説明】
【技術分野】
【０００１】
本発明は、クローゼット等の収納庫の左右一対の引き違い扉に用いられるドアースライドレール機構であり、特に、扉を閉めた状態でフラットな状態にし、扉を開けるときには扉を手前へと移動させ、横方向に移動することを可能とするドアースライドレール機構に関する。
【背景技術】
【０００２】
クローゼット等の収納庫に用いられる扉は、２枚の扉が左右両端にてヒンジ等で収納庫本体に固定され、ヒンジを中心として左右両側の扉が回転して開く、観音開きの扉と、２枚の扉が、前後に並列で設けられた２本のレール等の上を各々左右に移動する引き違い扉の２種類がある。
【０００３】
観音開きの扉の場合には、扉を閉めた状態では、２枚の扉がフラットになるが、扉を開くために必ず扉の手前側にスペースが必要となるという問題点があり、引き違い扉の場合には、各々の扉を左右にスライドさせるので、扉を開く戸には手前にスペースを必要とはしないが、扉を閉じた状態では、２枚の扉が２本のレール上に各々配置されるために、２枚の扉がフラットにはならず、美観的には美しいものではなく、観音開きの扉には劣るという問題点があった。
【０００４】
上述のような問題点を解決するために、引き違い扉でも、閉鎖時にフラットになる扉の機構もいくつか提案されている。このような例としては、特開２００５−３６５５１に開示されたスライドドア装置等がある。
【特許文献１】特開２００５−３６５５１
【発明の開示】
【発明が解決しようとする課題】
【０００５】
特許文献１において開示されたスライドドア装置では、扉を手前に引き出すためにばね等を用いており、そのため機構が複雑となっている。また、その他の従来のスライドドア装置等も、機構が複雑であったり、製作費用が高くつくものが多い。
【０００６】
そこで、本発明は、上述の問題点を解決し、簡単な機構で引き違い扉を閉めた時にフラットな状態を実現できるドアースライドレール機構を実現することを目的とする。
【課題を解決するための手段】
【０００７】
引き違い扉を閉じた状態でフラットにすることのできるドアースライドレール機構であって、スライドレールと、上記スライドレールに複数個のローラにより左右方向に移動可能に軸支された２個のスライド具からなり、  上記スライドレールは、内部の両側面に、上記ローラが移動可能な２個のガイド部を備え、内部の天井面に、直線の規制壁Ｂと規制壁Ｂの両端に接続された曲線の２個の規制壁Ａを備えており、上記スライド具は、スライド具本体、扉取付け具、およびスライド具本体と扉取付け具を接続するリンク部材から構成され、上記リンク部材は、基端部が上記スライド具本体に、他端部が扉取付け具に回動可能に固定された２個の回動板、および上記回動板のうちの１つの回動板の基端部に、先端にローラが軸支されている開閉規制具が接続され、上記開閉規制具は、上記回動板の回動とリンクして回動し、その先端のローラは、上記規制壁ＡおよびＢによって移動が制限されており、扉を開放方向に移動させると、上記開閉規制具の先端のローラが上記規制壁Ａに沿って円周移動を行うことによって、上記開閉規制具が回動し、それに伴い上記回動板が回動し、上記開閉規制具の先端のローラが上記規制壁Ａによる移動の制限から解除され、上記規制壁Ｂによる直線移動へと移行することにより、スライド具の直線移動が可能となることを特徴とする。
【０００８】
また、上記スライドレールにはスライド具の直線運動を停止させるストッパーが設けられており、上記ストッパーによって扉閉鎖時のスライド具の直線移動が停止され、上記開閉規制具の先端のローラが上記規制壁Ｂに沿った直線移動から上記規制壁Ａに沿った曲線移動へと移行され、上記開閉規制具および回動板が回動されて扉取付け具が所定の扉閉鎖位置まで移動することが好ましい。
【０００９】
そして、上記開閉規制具とそれに接続されている上記回動板は、上記回動板の基端部で、同じ点を中心とした回転を行うように、スライド具本体の底面に軸支されていることが好ましい。
【００１０】
さらに、上記扉取付け具は、略Ｌ字型の断面を有する２個の部材から構成され、一方の部材の底面に２個のリンク部材の先端部が回動可能に取付けられ、他方の部材の側面に扉を取付けるための穴が設けられており、２つの部材が互いに固定されていることが好ましい。
【発明の効果】
【００１１】
引き違い扉を閉じた状態でフラットにすることのできるドアースライドレール機構であって、スライドレールと、上記スライドレールに複数個のローラにより左右方向に移動可能に軸支された２個のスライド具からなり、  上記スライドレールは、内部の両側面に、上記ローラが移動可能な２個のガイド部を備え、内部の天井面に、直線の規制壁Ｂと規制壁Ｂの両端に接続された曲線の２個の規制壁Ａを備えており、上記スライド具は、スライド具本体、扉取付け具、およびスライド具本体と扉取付け具を接続するリンク部材から構成され、上記リンク部材は、基端部が上記スライド具本体に、他端部が扉取付け具に回動可能に固定された２個の回動板、および上記回動板のうちの１つの回動板の基端部に、先端にローラが軸支されている開閉規制具が接続され、上記開閉規制具は、上記回動板の回動とリンクして回動し、その先端のローラは、上記規制壁ＡおよびＢによって移動が制限されており、扉を開放方向に移動させると、上記開閉規制具の先端のローラが上記規制壁Ａに沿って円周移動を行うことによって、上記開閉規制具が回動し、それに伴い上記回動板が回動し、上記開閉規制具の先端のローラが上記規制壁Ａによる移動の制限から解除され、上記規制壁Ｂによる直線移動へと移行することにより、スライド具の直線移動が可能となることにより、従来よりも簡単な構造で、引き違い扉を閉じた状態でフラットにすることを実現し、閉鎖時の扉の美観に優れ、扉の前の無駄なスペースをなくすことができ、また、部品数が少なくすみ、製作コストも安くすることを可能とする。
【００１２】
また、上記スライドレールにはスライド具の直線運動を停止させるストッパーが設けられており、上記ストッパーによって扉閉鎖時のスライド具の直線移動が停止され、上記開閉規制具の先端のローラが上記規制壁Ｂに沿った直線移動から上記規制壁Ａに沿った曲線移動へと移行され、上記開閉規制具および上記回動板が回動されて扉取付け具が所定の扉閉鎖位置まで移動することによって、扉が互いに接触することなく、フラットな閉鎖状態へと移行することができる。
【００１３】
そして、上記開閉規制具とそれに接続されている上記回動板は、上記回動板の基端部で、同じ点を中心とした回転を行うように、スライド具本体の底面に軸支されていることによって、開閉規制具と回動板による扉取付け具の移動をスムーズで確実に行うことができる。
【００１４】
さらに、上記扉取付け具は、略Ｌ字型の断面を有する２個の部材から構成され、一方の部材の底面に２個のリンク部材の先端部が回動可能に取付けられ、他方の部材の側面に扉を取付けるための穴が設けられており、２つの部材が互いに固定されていることによって、扉を確実に支持し、スライドさせることが可能となる。
【発明を実施するための最良の形態】
【００１５】
図を用いて本発明のドアースライドレール機構の実施形態について説明を行う。図１に示すのがドアースライドレール機構１の全体底面図である。
【００１６】
ドアースライドレール機構１は、図２に示すスライドレール２と図３に示すスライド具３から構成される。図１の全体底面図に示されるように、１個のスライドレール２に２個のスライド具３が移動可能に取付けられており、それぞれのスライド具３に扉１６が１枚ずつ取付けられる。上記スライド具２にはその両側面に各々２個ずつローラ１１を備えており、上記ローラ１１によりスライド具３は、スライドレール２を左右方向に移動することができる。
【００１７】
上記スライドレール２には、図２の底面図に示すように、内側の両側面にローラ１１が移動するためのガイド部４が設けられている。また、上記スライドレール２の天井面には、規制壁Ａおよび規制壁Ｂが設けられている。上記規制壁Ａは曲線であり、直線の規制壁Ｂの両端に接続されている。この規制壁ＡおよびＢはスライド具３の移動を規制しており、これによって扉１６を開放する際に、扉１６を手前へと移動させることができる。
【００１８】
上記スライド具３はスライド具本体７と扉取付け具８、およびスライド具本体７と扉取付け具８を接続するリンク部材から構成される（図３参照）。リンク部材は２個の回動板９と１個の開閉規制具１０からなり、２個の回動板９によって、スライド具本体７と扉取付け具８が接続されている。回動板９は基端部１３でスライド具本体７と回動可能に固定され、多端部１４で扉取り付け具８と回動可能に固定されている。
【００１９】
上記回動板９のうちの１つの回動板９の基端部１３には、リンク部材９の回動に従事する開閉規制具１０が接続されている。回動板９の回転の中心となる基端部１３を中心として所定の角度を有した状態で固定されている。開閉規制具１０は図１１に示すような折り曲げられた形状をしており、スライド具本体７の底面から、スライド具本体７を通り抜け、その先端がスライド具本体７の上面に位置するような形状となっている。このためスライド具本体７の底面には穴２３が設けられ、開閉規制具１０が回動可能となっている。
【００２０】
上記回動板９がスライド具本体７に回動可能に固定されている基端部１３を中心に回動することにより、扉取付け具８は、スライドレール２から手前へと移動し、扉１６が互いにフラットな状態から、片側が手前へと移動することができる。
【００２１】
扉取付け具８は略L字型の断面をした２個の部材（５，６）からなり、部材５の底面で回動板９の多端部１４が回動可能に固定されており、部材６の側面には扉１６を取り付けるための穴１７が設けられ、この穴１７を用いて扉１６が取付けられる。部材５と部材６が互いに固定されていることにより、扉１６はドアースライドレール機構１に取付けられる。
【００２２】
上記開閉規制具１０の先端にはローラ１２が軸支されている（図１３参照）。このローラ１２は、規制壁Ａおよび規制壁Ｂによって、スライドレール２内での移動が制限されている。
【００２３】
上記スライドレール２には、スライド具の左右方向の移動を停止させるためのストッパー１５が設けられている。このストッパー１５により扉１６を閉鎖するときに、スライド具３の移動が停止される。
【００２４】
次に、本発明のドアースライドレール機構１の作動状態について説明を行う。まず初めに、扉１６を開放させる動きについて説明を行う。
【００２５】
図４は、扉１６が閉じた状態であり、２枚の扉１６は互いにフラットになっている。この状態から扉１６を開放方向（図４の矢印Ａの方向）に移動させる。そうすると、開閉規制具１０の先端に設けられたローラ１２が規制壁Ａに沿って図４の矢印Ｂの方向に円周移動を行う。ローラ１２が円周移動をしている間は、スライド具本体７は停止した状態で、開閉規制具１０が図４の矢印Ｃの方向に回動し、これにリンクして回動板９も基端部１３を中心に図４の矢印Ｄの方向に回動して、扉取付け具８がスライドレール２から手前へと移動する。
【００２６】
上記動作を行い、図５に示す状態を経て、開閉規制具１０の先端のローラ１２が規制壁Ａ５に沿った矢印Ｂの円周移動が完了すると、ローラ１２は規制壁Ａによる移動の制限が解除され、規制壁Ｂに沿った直線移動が可能となる（図５参照）。扉１６が図５に示すような右側の扉１６と所定の間隔を有した平行な状態となり、左側の扉１６が開放方向へと移動可能になるので、この状態かららさらに右側へ扉１６を移動させると、開閉規制具１０の先端のローラ１２は規制壁Ｂに沿って直線移動可能な状態となっているので、開閉規制具１０およびリンク部材９の回動は終了し、スライド具本体７および扉取付け具８を含むスライド具３全体が矢印Ａで示す方向に直線移動を行うことが可能となる。
【００２７】
スライド具３が矢印Ａの方向に直線移動を行っている間は、規制壁Ｂによって開閉規制具１０の先端のローラ１２の移動は直線方向に制限されていることにより、リンク部材９および開閉規制具１０は回動することができないので、左側の扉１６は、右側の扉１６と所定の間隔を有して平行な状態を保持したまま移動するので、扉１６は互いに接触することは無い。
【００２８】
スライド具３が開放方向への移動は、２枚の扉１６が互いに重なったところで終了し、扉１６の開放が完了する。この時、左右のスライド具３は互い衝突することの無い大きさに設定されている。
【００２９】
次に、上述の扉１６の開放状態から、閉鎖状態への動きを説明する。基本的には、扉１６の開放時とは逆の動きを行うことになる。
【００３０】
扉１６を閉鎖方向（図では矢印Ａと反対方向）に移動させる。この時、開閉規制具１０は規制壁Ｂによって横方向への直線移動のみに制限されているので、スライド具３は閉鎖方向へと直線移動を続ける。
【００３１】
スライド具３の直線移動は、ストッパー１５により停止される。この時、開閉規制具１０の先端のローラ１２は規制壁Ｂの端部へと移動しており、ここで規制壁Ｂによる制限から開放され、規制壁Ａ５に沿った円周移動へと移行する。
【００３２】
スライド具本体７の移動はこの時点で完了し、開閉規制具１０の先端のローラ１２が規制壁Ａ５に沿った円周移動に移行することにより、開閉規制具１０の回動が開始され、これにリンクして回動板９も基端部１３を中心に回動を行い、扉取付け具８がスライドレール２側へと移動する。
【００３３】
扉取付け具８が扉１６の閉鎖状態までの移動が完了すると、扉１６はフラットな状態に戻り、扉の閉鎖が完了する。
【００３４】
上述のように、本発明のドアースライドレール機構１は、簡単な構成で、閉鎖状態で扉１６がフラットな状態を作り出すことを可能とし、またよりスムーズな扉の開閉を実現することができる。またその構成が簡単なことにより、部品数が少なくなり、製作コストを削減し、組み立て手間をすくなくすることもできる。
【００３５】
ここまで、ドアースライドレール機構１について説明してきたが、本発明のドアースライドレール機構１を用いたスライドドア２０の構成について説明する。
【００３６】
本実施形態では、スライドドア２０の底面にドアースライドレール機構１を用いた実施形態について説明する。これ以外にも、上面あるいは上下両方にドアースライドレール機構１を用いることも可能である。
【００３７】
図７に示すのが、スライドドア２０の全体正面図である。スライドドア２０は、下部に設けられたドアースライドレール機構１と２枚の扉１６、およびドアースライドレール機構１を固定するためのフレーム１９から構成される。このスライドドア２０は収納庫やクローゼット等に用いられる。
【００３８】
フレーム１９の下部にはドアースライドレール機構１が取付けられている。ドアースライドレール機構１はその底面がスライド具３の移動が可能なように隙間を有した状態で、スライドレール２の両端でフレーム１９に固定されている。扉１６の下端部はドアースライドレール機構１、ドアースライドレール機構１のドア取付け具８にボルト等で固定されている。
【００３９】
そして、扉１６の上部にはガイドローラ取付け具２２が取付けられ、ガイドローラ取付け具２２にはガイドローラ２１が回転可能に取付けられている（図８参照）。上記ガイドローラ２１はフレーム１９の上部に設けられた溝１８に沿って移動可能となっている。
【００４０】
溝１８は図８に示すように、中央が直線で、両端部が曲線となっており、ドアースライドレール機構１による扉１６の移動が可能なように形成されている。
【００４１】
上記ガイドローラ２１が、ガイドローラ取付け具２２に回転可能に軸支されているので、おり、スライドレール機構１の作動によって扉１６が開閉されるときに、扉１６の下部の動きに上部が追従することが可能となっている。
【００４２】
このように構成されたスライドドア２０は、上述のドアースライドレール機構１によって支持され、開閉動作を行うが、スライドドア２０は上部では単に扉１６の移動をガイドするための構造となっている。このため、従来の扉をフラットにするために上下に複雑な機構を有するスライドドアと比較すると、より簡単な構造となり、さらに、重量物を下部に有するために安定した構造のスライドドアを実現できる。
【００４３】
また、閉鎖時に扉がフラットになることにより美観に優れ、扉の前のスペースを有効に使用できる効果もある。
【図面の簡単な説明】
【００４４】
【図１】本発明のドアースライドレール機構の全体底面図
【図２】（ａ）は、スライドレールの底面図、（ｂ）は（ａ）のＡ−Ａ線による断面図
【図３】（ａ）はスライド具の平面図、（ｂ）はスライド具の側面図
【図４】扉の開放を開始する状態のスライドレール機構および扉を示す平面図
【図５】扉の開放を開始され、開閉規制具および回動板が回動している途中を示す平面図
【図６】扉の開放が開始され、開閉規制具および回動板の回動が完了し、スライド具本体７が直線移動を開始する状態を示す平面図
【図７】本発明のドアースライドレール機構を用いたスライドドア全体の（ａ）正面図、（ｂ）断面図
【図８】スライドドア上部の構造を示す（ａ）正面図、（ｂ）底面図
【図９】スライド具本体の（ａ）平面図および（ｂ）斜視図
【図１０】開閉規制具が接続される回動板の（ａ）平面図および（ｂ）側面図
【図１１】開閉規制具の（ａ）平面図および（ｂ）側面図
【図１２】開閉規制具と回動板を接続させた状態の（ａ）平面図および（ｂ）側面図
【図１３】扉取付け具の斜視図であり、（ａ）は部材５の斜視図、（ｂ）は部材６の斜視図、（ｃ）は部材５と６を組み合わせた扉取付け具の斜視図
【符号の説明】
【００４５】
１            ドアースライドレール機構
２            スライドレール
３            スライド具
４            ガイド部
５            規制壁Ａ
６            規制壁Ｂ
７            スライド具本体
８            扉取付け具
９            リンク部材
１０          開閉規制具
１１          ローラ
１２          ローラ
１３          基端部
１４          他端部
１５          ストッパー
１６          扉
１７          穴
１８          溝
１９          フレーム
２０          スライドドア
２１          ガイドローラ
２２          ガイドローラ取付け具
【図１】
2007332577.tif 000003
【図２】
2007332577.tif 000004
【図３】
2007332577.tif 000005
【図４】
2007332577.tif 000006
【図５】
2007332577.tif 000007
【図６】
2007332577.tif 000008
【図７】
2007332577.tif 000009
【図８】
2007332577.tif 000010
【図９】
2007332577.tif 000011
【図１０】
2007332577.tif 000012
【図１１】
2007332577.tif 000013
【図１２】
2007332577.tif 000014
【図１３】
2007332577.tif 000015